(57)【要約】【課題】  水分子クラスタの自己組織化サイクロトロン周波数を５０Ｈｚおよび６０Ｈｚより高く設定することにより、送電線磁界を生体にとって無害化（有益化）することができる水分子の自己組織化方法および装置を提供する。【解決手段】  サイクロトロン共振を生じる交流磁界下における水分子の自己組織化装置であって、生体の近傍に直流磁界を生成させる手段を配置し、前記直流磁界を増加させ、商用周波数下における生体の免疫力の増強や血行の促進させる手段とを具備する。【選択図】図１
2005118106.tif 000002
【特許請求の範囲】
【請求項１】
直流磁界と交流磁界を重畳して水に印加し水分子を自己組織化させる方法において、前記直流磁界を増加させることによりサイクロトロン共振を生じる交流磁界の周波数を増加させることを特徴とする水分子の自己組織化方法。
【請求項２】
請求項１記載の水分子の自己組織化方法において、前記直流磁界を、地磁気の１．５倍以上にすることを特徴とする水分子の自己組織化方法。
【請求項３】
請求項１又は２記載の水分子の自己組織化方法において、前記交流磁界の周波数が２０Ｈｚ以上であることを特徴とする水分子の自己組織化方法。
【請求項４】
請求項３記載の水分子の自己組織化方法において、前記交流磁界の周波数が商用周波数であることを特徴とする水分子の自己組織化方法。
【請求項５】
請求項４記載の水分子の自己組織化方法において、交流送電線下における生体内の水分子のプロトンの移動を長距離化（生化学反応フロンティアプロトンを活性化）することにより、生体の免疫力の増強や血行を促進させることを特徴とする水分子の自己組織化方法。
【請求項６】
サイクロトロン共振を生じる交流磁界下における水分子の自己組織化装置であって、生体の近傍に直流磁界を生成させる手段を配置し、前記直流磁界を増加させ、商用周波数下における生体の免疫力の増強や血行を促進させる手段とを具備することを特徴とする水分子の自己組織化装置。
【請求項７】
請求項６記載の水分子の自己組織化装置において、前記商用周波数は送電線電流により生じる交流磁界の周波数であることを特徴とする水分子の自己組織化装置。
【請求項８】
請求項６又は７記載の水分子の自己組織化装置において、住環境を囲む導線コイルを設置して直流電流を通電することを特徴とする水分子の自己組織化装置。
【請求項９】
請求項７記載の水分子の自己組織化装置において、前記送電線に平行に導線を設置して直流を通電することを特徴とする水分子の自己組織化装置。
【発明の詳細な説明】
【技術分野】
【０００１】
本発明は、生体内の水分子のプロトンの移動を長距離化（生化学反応フロンティアプロトンを活性化）することにより、生体の免疫力の増強や血行の促進などを実現し、生活習慣病や種々の病気に対する予防や自然治癒力と健康の増進を図ることをはじめ、車両運転者の覚醒、学習者の理解力、記憶力の増進、農林水産分野の生産力の増強、食品の保存、発酵や熟成の促進、環境電磁波の無害化、河川や湖沼、プール等の水質浄化、体内環境ホルモンの排泄能増強など、健康、知性、医療、環境等の改善に関する技術全般に関するものである。
【背景技術】
【０００２】
水分子クラスタ内のプロトントランスポートの長距離化（プロトン活性化）の方法と装置に関しては、本願発明者らは既に、「水分子の導電率の増殖的増加方法およびその装置」（下記特許文献１）を提案し、その医療、健康分野への応用に関しては「微小パルス磁界発生装置及びそれを用いた血行促進・免疫力増加・組織再生システム」（下記特許文献２）を提案した。
【０００３】
そこでは、本願発明者らは、水分子クラスタのサイクロトロン共振自己組織化によってプロトンを活性化させる磁界が生理的食塩水ＰＢＳ（リン酸緩衝液）を活性化し、好中球の貪食能を２倍以上に高めることを見出し、水分子のプロトン活性化原理が生体へ適用できることを確認した。
【０００４】
この場合、地磁気直流磁界をＢ＝約５００ｍＧ（５０μＴ）とすると、水分子クラスタＨ3 Ｏ+ （Ｈ2 Ｏ）n のサイクロトロン共振周波数ｆCyは、以下のように表される。
【０００５】
ｆCy＝ｑ（Ｈ+ ）Ｂ／２πｍn                                   …（１）
ここで、ｑ（Ｈ+ ）はプロトン電荷〔Ｆ〕、Ｂは地磁気直流磁界〔Ｔ〕、ｍn は水分子クラスタ質量〔ｋｇ〕であるので、ｆCy≦４０．１Ｈｚである。
【特許文献１】特開２００３−０８８８７３号公報
【特許文献２】特開２００３−０８８５９２号公報
【発明の開示】
【発明が解決しようとする課題】
【０００６】
ところで、高圧送電線下の生活環境磁界の周波数は５０Ｈｚまたは６０Ｈｚであるが、この磁界ではｆCy≦４０．１Ｈｚを満たさず、生体内の水分子を自己組織化することは困難であり、生体に悪影響を及ぼす可能性の高い環境電磁波になっている（ＷＨＯの小児白血病発病疫学調査報告等参照）。
【０００７】
また、高圧送電線下の生活環境磁界の大きさ（振幅）は２〜４ｍＧ程度であるが、広域に分布するため、一般家庭内の家電機器から発生する局所的５０、６０Ｈｚ磁界に比して、常時人体が被爆することになり、健康被害の原因になっている。
【０００８】
しかしながら、従来の技術では、高圧送電線下の環境電磁波による健康被害を防ぐ有効な手段は確立されていない。
【０００９】
本発明は、上記状況に鑑みて、水分子クラスタの自己組織化サイクロトロン周波数を５０Ｈｚおよび６０Ｈｚより高く設定することにより、送電線磁界を生体にとって無害化（有益化）することができる水分子の自己組織化方法および装置を提供することを目的とする。
【課題を解決するための手段】
【００１０】
本発明は、上記目的を達成するために、
〔１〕水分子の自己組織化方法において、直流磁界と交流磁界を重畳して水に印加し自己組織化させる方法において、前記直流磁界を増加させることによりサイクロトロン共振を生じる交流磁界の周波数を増加させることを特徴とする。
【００１１】
〔２〕上記〔１〕記載の水分子の自己組織化方法において、前記直流磁界を地磁気の１．５倍以上にすることを特徴とする。
【００１２】
〔３〕上記〔１〕又は〔２〕記載の水分子の自己組織化方法において、前記交流磁界の周波数が２０Ｈｚ以上であることを特徴とする。
【００１３】
〔４〕上記〔３〕記載の水分子の自己組織化方法において、前記交流磁界の周波数が商用周波数であることを特徴とする。
【００１４】
〔５〕上記〔４〕記載の水分子の自己組織化方法において、交流送電線下における生体内の水分子のプロトンの移動を長距離化（生化学反応フロンティアプロトンを活性化）することにより、生体の免疫力の増強や血行を促進させることを特徴とする。
【００１５】
〔６〕サイクロトロン共振を生じる交流磁界下における水分子の自己組織化装置であって、生体の近傍に直流磁界を生成させる手段を配置し、前記直流磁界を増加させ、商用周波数下における生体の免疫力の増強や血行を促進させる手段とを具備することを特徴とする。
【００１６】
〔７〕上記〔６〕記載の水分子の自己組織化装置において、前記商用周波数は送電線電流により生じる交流磁界の周波数であることを特徴とする。
【００１７】
〔８〕上記〔６〕又は〔７〕記載の水分子の自己組織化装置において、住環境を囲む導線コイルを設置して直流電流を通電することを特徴とする。
【００１８】
〔９〕上記〔７〕記載の水分子の自己組織化装置において、前記送電線に平行に導線を設置して直流を通電することを特徴とする。
【発明の効果】
【００１９】
本発明によれば、水分子クラスタの自己組織化サイクロトロン周波数を５０Ｈｚおよび６０Ｈｚ以上に設定することにより、送電線磁界を生体にとって無害化（有益化）することができる。
【発明を実施するための最良の形態】
【００２０】
本発明は、生体内水分子のサイクロトロン共振周波数を、５０Ｈｚおよび６０Ｈｚ以上に設定することで、送電線による交流磁界を水分子の自己組織化に適する磁界に転換するものである。
【００２１】
具体的には、上記式（１）において、直流磁界Ｂdcを地磁気の１．５倍以上（約７５μＴ以上）に設定することにより、サイクロトン周波数ｆcyを６０Ｈｚ以上として送電線磁界の周波数５０Ｈｚまたは６０Ｈｚを生体内水分子の自己組織化周波数範囲内の周波数とするものである。
【００２２】
送電線下の住環境の直流磁界を地磁気の１．５倍以上にするには、住環境を囲む導線コイルを設置して直流電流を通電する手段、または送電線に平行に導線を設置して直流を通電する手段がある。前者は送電線下の住環境側の対策であり、後者は送電線側での対策である。
【００２３】
以下、本発明の実施の形態について詳細に説明する。
【実施例１】
【００２４】
図１は本発明の実施例を示す水分子の自己組織化のための実験装置の模式図、図２はそれを用いて電気抵抗率の変化を自動記録した結果（その１）を示す図である。
【００２５】
図１において、１は直径３０ｃｍのパーマロイ磁気シールドボックス、２，３はそのなかに配置される２重のヘルムホルツコイルであり、外側のヘルムホルツコイル（直流磁界Ｂdc発生用２０ｃｍ直径１００ターンコイル）２と内側のヘルムホルツコイル（交流磁界Ｂac発生用１５ｃｍ直径１００ターンコイル）３からなる。４は内側のヘルムホルツコイル３内に設置される、超純水を充填した２５０ｍｌパイライトビン、５は外側のヘルムホルツコイル２に接続される直流電源、６は内側のヘルムホルツコイル３に接続される交流電源、７はパイライトビン４内に配置されるプローブ、８はプローブ７に接続されるガラス電極式プロトン濃度計である。
【００２６】
そこで、直径３０ｃｍのパーマロイ磁気シールドボックス１内に２重のヘルムホルツコイル（直流磁界Ｂdc発生用２０ｃｍ直径１００ターンコイルおよび交流磁界Ｂac発生用１５ｃｍ直径１００ターンコイル）２，３を設置し、内側のヘルムホルツコイル３内に超純水を充填した２５０ｍｌパイライトビン４を設置して、内側のヘルムホルツコイル３に交流電源６より６０Ｈｚの交流磁界Ｂacを１分間印加した後、ガラス電極式プロトン濃度計（電気抵抗率計、東亜ディーケーケー（株）社製、ＷＭ−２２ＥＰ）８を挿入し、約２０時間電気抵抗率の変化を自動記録した。
【００２７】
その結果は、図２に示すようになった。
【００２８】
図２において、実線Ａは直流磁界Ｂdc＝０．５Ｇ（地磁気相当）の場合であり、電気抵抗率は１０時間後の減少率は約３０％である。
【００２９】
この減少率はＣｏｎｔｒｏｌ（磁界印加なし）〔図３におけるＣ参照〕の場合と同程度であって、水の自己組織化が生じていないと考えられる。
【００３０】
一方、点線Ｂは直流磁界Ｂdcを１．２Ｇに増加させた場合であり、１０時間後の電気抵抗率の減少率は約４５％であり、明らかに水の自己組織化が進行していると考えられる。
【実施例２】
【００３１】
上記した実施例１の実験方法を用いて、交流磁界Ｂac＝２０Ｈｚ、１０ｍＧの場合では、直流磁界Ｂdc＝０にすると電気抵抗率が約３２％に減少する結果を得た。
【００３２】
さらに、図２の結果も含めて、図３より明らかなように、直流磁界Ｂdcを増加させることによって、６０Ｈｚの磁界が印加されている場合でも水の自己組織化が生じ、送電線下の生活環境でも環境電磁波の健康への悪影響を緩和できることが分かった。
【００３３】
上記したように、本発明は、生体内水分子のサイクロトロン共振周波数を、５０Ｈｚおよび６０Ｈｚ以上に設定することにより、送電線による交流磁界を水分子の自己組織化に適する磁界に転換するものである。
【００３４】
具体的には、上記式（１）において、直流磁界Ｂdcを地磁気の１．５倍（約７５μＴ）以上に設定することにより、サイクロトロン周波数ｆcyを６０Ｈｚ以上として送電線磁界の周波数５０Ｈｚまたは６０Ｈｚを生体内水分子の自己組織化周波数範囲内の周波数とする。
【００３５】
交流送電線下の住環境の直流磁界を地磁気の１．５倍以上にするには、
（１）住環境を囲む導線コイルを設置して直流電流を通電する構成とする。
【００３６】
（２）交流送電線に平行に導線を設置して直流を通電する構成とする。
【００３７】
上記（１）は交流送電線下の住環境側の対策であり、上記（２）は送電線側での対策である。
【００３８】
なお、本発明は上記実施例に限定されるものではなく、本発明の趣旨に基づいて種々の変形が可能であり、これらを本発明の範囲から排除するものではない。
【産業上の利用可能性】
【００３９】
本発明の水分子の自己組織化方法及び装置は、生体の免疫力の増強や血行の促進などを実現し、生活習慣病や種々の病気に対する予防や自然治癒力と健康の増進を図る技術分野に広範に利用できる。
【図面の簡単な説明】
【００４０】
【図１】本発明の水分子の自己組織化のための実験装置の模式図である。
【図２】図１の実験装置を用いて電気抵抗率の変化を自動記録した結果（その１）を示す図である。
【図３】図１の実験装置を用いて電気抵抗率の変化を自動記録した結果（その２）を示す図である。
【符号の説明】
【００４１】
１    直径３０ｃｍのパーマロイ磁気シールドボックス
２    外側のヘルムホルツコイル
３    内側のヘルムホルツコイル
４    超純水を充填した２５０ｍｌパイライトビン
５    直流電源
６    交流電源
７    プローブ
８    ガラス電極式プロトン濃度計
【図１】
2005118106.tif 000003
【図２】
2005118106.tif 000004
【図３】
2005118106.tif 000005